(57)【要約】【課題】水素生成装置において、原料ガスパージを行う起動停止の繰り返しや長期の運転により、触媒が劣化する。【解決手段】改質部２と、変成部３と、選択酸化部４とを備え、選択酸化触媒４ｃが粒状触媒であり、選択酸化部４内上部に触媒が移動できる選択酸化上部空間１０６が設けられている水素生成装置１００を、メンテナンス時に、水素生成装置１００の運転を停止させる工程（Ａ）、水素生成装置１００の設置状態を変化させ、倒すことで選択酸化触媒４ａを移動させる工程（Ｂ）、水素生成装置１００の設置状態を前記工程（Ａ）の状態に戻す工程（Ｃ）を行うことで、選択酸化部４内の選択酸化触媒４ｃを混合し、水素生成装置１００の性能を回復させる。【選択図】図２
2010189198.tif 000002
【特許請求の範囲】
【請求項１】
改質触媒を有し、原料と水とを改質反応させて水素含有ガスを生成させる改質反応器と、
変成触媒を有し、前記改質反応器後の水素含有ガス中の一酸化炭素を変成反応させる変成反応器と、
選択酸化触媒を有し、前記変成反応器後の水素含有ガス中の一酸化炭素を選択酸化反応させる選択酸化反応器とを備え、
前記改質触媒、前記変成触媒、および前記選択酸化触媒の少なくとも一つが粒状触媒であり、
前記改質反応器内上部、前記変成反応器内上部、および前記選択酸化反応器内上部の少なくとも一つに、前記粒状触媒が移動できる空間が設けられている水素生成装置のメンテナンス方法であって、
前記水素生成装置のメンテナンス時に、
前記水素生成装置の運転を停止させる工程（Ａ）、
前記水素生成装置の設置状態を変化させ、倒すことで粒状触媒を移動させる工程（Ｂ）、
前記水素生成装置の設置状態を前記工程（Ａ）の状態に戻す工程（Ｃ）
とを行う水素生成装置のメンテナンス方法。
【請求項２】
前記選択酸化触媒が、粒状触媒である請求項１記載の水素生成装置のメンテナンス方法。
【請求項３】
前記選択酸化反応器内上部に、前記選択酸化触媒が移動できる空間が設けられている請求項２記載の水素生成装置のメンテナンス方法。
【請求項４】
前記選択酸化触媒が移動できる空間が、前記選択酸化反応器に収められている前記選択酸化触媒の体積の３０％以上の体積を有する空間である請求項３記載の水素生成装置のメンテナンス方法。
【発明の詳細な説明】
【技術分野】
【０００１】
本発明は、炭化水素を含む原料と水を触媒に流通させ一酸化炭素を含有する水素リッチガスを発生させる水素生成装置のメンテナンス方法に関するものである。
【背景技術】
【０００２】
固体高分子型燃料電池（以下、ＰＥＦＣ）は、小型装置でも高効率な発電を可能とする燃料電池であり、分散型エネルギー供給源の発電システムとして開発が進められている。発電時の燃料となる水素ガス又は水素含有ガスは、一般的なインフラとして整備されていない。そこで、例えば都市ガス、プロパンガス等の既存の化石原料インフラから供給される原料を利用し、それらの原料と水との改質反応により水素含有ガスを生成させる、改質部を備える水素生成装置が併設される。
【０００３】
ただ、ＰＥＦＣに供給する水素含有ガス中の一酸化炭素（ＣＯ）含有量は、５０ｐｐｍ（容量、以下同じ）程度が限度であり、これを越えると電池性能が著しく低下するので、一酸化炭素含有量は、ＰＥＦＣへ導入する前にできる限り除去する必要があり、好ましくは１０ｐｐｍ以下にすることが望ましい。
【０００４】
そこで、水素含有ガス中の一酸化炭素を低減させる一酸化炭素低減部となる、一酸化炭素と水蒸気を水性ガスシフト反応させる変成部、および一酸化炭素を酸化させる選択酸化部を設ける構成がとられることが多い。それらの反応部には、各反応に適した触媒、例えば、改質部にはＲｕ触媒やＮｉ触媒、変成部にはＣｕ−Ｚｎ触媒が用いられている。また、選択酸化触媒には、一酸化炭素を幅広い温度範囲で低濃度（１０ｐｐｍ以下）まで除去できるＲｕ/Ａｌ２Ｏ３触媒が、広く用いられている（例えば、非特許文献１参照）。
【非特許文献１】S. H. Oh, R. M. Sinkevitch, J. Catal, 142 (1993) 254.
【発明の開示】
【発明が解決しようとする課題】
【０００５】
選択酸化触媒のＲｕ/Ａｌ２Ｏ３触媒は、使用開始の初期状態では、低温（約１００℃）から高温（約２００℃）まで、比較的幅広い範囲で一酸化炭素を低減できる。しかし、長期間の運転に対応して、頻繁に起動停止を繰り返した場合、あるいは長期間の連続運転を行った場合、高温での触媒活性が大きく低下し、水素生成装置の出口における一酸化炭素濃度が、高くなるという課題がある。
【０００６】
本発明は、前記従来の課題を解決するもので、長期間の運転に対応するメンテナンス時に、水素生成装置を交換させる必要のない、水素生成装置のメンテナンス方法を提供することを目的とする。
【課題を解決するための手段】
【０００７】
上記の課題を解決するため、本発明の水素生成装置のメンテナンス方法は、改質触媒を有し、原料と水とを改質反応させて水素含有ガスを生成させる改質反応器と、変成触媒を有し、改質反応器後の水素含有ガス中の一酸化炭素を変成反応させる変成反応器と、選択酸化触媒を有し、変成反応器後の水素含有ガス中の一酸化炭素を選択酸化反応させる選択酸化反応器とを備え、改質触媒、変成触媒、および選択酸化触媒の少なくとも一つが粒状触媒であり、改質反応器内上部、変成反応器内上部、および選択酸化反応器内上部の少なくとも一つに、粒状触媒が移動できる空間が設けられている水素生成装置のメンテナンス方法であって、水素生成装置のメンテナンス時に、水素生成装置の運転を停止させる工程（Ａ）、水素生成装置の設置状態を変化させ、倒すことで粒状触媒を移動させる工程（Ｂ）、水素生成装置の設置状態を前記工程（Ａ）の状態に戻す工程（Ｃ）とを行う水素生成装置のメンテナンス方法となる。
【発明の効果】
【０００８】
本発明の水素生成装置のメンテナンス方法によれば、頻繁に起動停止を繰り返し、あるいは長期間の連続運転を行い、水素生成装置に用いられる触媒の活性が低下しても、水素生成装置として必要な触媒活性を確保できるので、装置を交換することなく、長期間の運転を実現できる。
【発明を実施するための最良の形態】
【０００９】
本発明者らは、頻繁に起動停止を繰り返し、あるいは長期間の連続運転を行った場合の水素生成装置における触媒の活性状態を、選択酸化触媒であるＲｕ/Ａｌ２Ｏ３触媒を用いて測定した。具体的には、頻繁に起動停止を繰り返し、あるいは長期間の連続運転させ、触媒活性が低下した水素生成装置から、選択酸化触媒を抜き出し、触媒活性を測定することで、測定した。その結果、高温活性（触媒温度１８０−２００℃での触媒活性）が大きく低下した粒状のＲｕ/Ａｌ２Ｏ３触媒においても、触媒温度を１２０℃以下で使用した場合、選択酸化反応時の出口ガス中の酸素濃度は、検出限界以下となる。これは、触媒活性として、一酸化炭素の酸化選択性が低下していることを示す。また、最上流部以外に位置する触媒の活性低下は少なく、最上流側に位置する触媒における高温活性（１８０−２００℃）が、水素生成装置としての酸化選択性の低下に大きな影響をおよぼしていることを見出した。
【００１０】
続いて、上記結果の検証のために行った測定について、その測定方法および測定結果を説明する。
【００１１】
選択酸化触媒として、直径３ｍｍ、触媒成分としてＲｕを２ｗｔ％担持させたＲｕ／γ―Ａｌ２Ｏ３触媒をマイクロリアクター（常圧固定層流通式反応器、詳細は図示せず）に充填した。流通させるガスには、改質模擬ガス（水素含有ガス）となる０．５％一酸化炭素−２０％一酸化炭素２／Ｈ２バランスのガスを用いた。その改質模擬ガスを加湿して露点６０℃のガスを作成し、空間速度（ＳＶ）が７０００h-1となるように流量を調節して、触媒に供給した。この時、Ｏ２／一酸化炭素が、１．５となるように空気も供給した。触媒温度を１００〜２００℃の範囲で変化させ、マイクロリアクター前後での一酸化炭素濃度をガスクロマトグラフィーで測定して、一酸化炭素除去性能を測定した。なお、触媒温度は、触媒上流から４ｍｍの点の温度を熱電対で測定した温度とした。
【００１２】
一酸化炭素除去性能の測定後は、（露点調整後の）改質模擬ガス供給を停止し、ゼオライト系脱硫剤による脱硫処理を行った都市ガス（大阪瓦斯供給の１３Ａ）を供給し、室温まで冷却する停止操作を行った。その後、脱硫処理を行った都市ガスを流通させながら、電気炉温度を上昇させ、触媒が約１３０℃になった時点で前述の改質模擬ガスに切り換え、触媒温度１５０℃で反応を行った。触媒温度が安定し反応が定常状態に達してから、再び停止操作を行った。
【００１３】
上記の起動停止操作を、１０００回行い、１００回、１０００回後に、上述の反応条件で、選択酸化触媒の一酸化炭素除去性能の温度依存性を調べた。図１にその結果を示す。図１から、１８０〜２００℃の高温での一酸化炭素除去特性が低下していることがわかる。これは、起動停止時の都市ガスの流通により、最上流に位置する触媒が最も被毒されやすく、被毒された結果、高温では水素が酸化されることで酸素が消費されたため、一酸化炭素除去特性低下したものと推察される。また、触媒温度が、１２０℃以下の条件では、活性は安定することがわかる。以上の結果から、最上流側に位置する触媒の高温活性（１８０−２００℃）は低下するが、その触媒を触媒温度１２０℃以下で使用した場合、選択酸化反応時の出口ガス中の酸素濃度は検出限界以下となることが、検証された。
【００１４】
（実施の形態１）
次に、上述の結果にもとづいた、本発明の実施の形態１について、図面を用いながら説明する。
【００１５】
〈水素生成装置の構成〉
先ず、本実施の形態１に係る水素生成装置１００の構成について説明する。
【００１６】
図２は、本発明の実施の形態１に係る水素生成装置１００の構成と、これを駆動するための付加的構成を模式的に示すブロック図及び断面図である。
【００１７】
図２に示すように、本実施の形態に係る水素生成装置１００は、加熱部１、改質部２、変成部３、選択酸化部４、予熱蒸発部６、水トラップ部７、水供給部９、原料供給部１０、燃焼用空気供給部１１、選択酸化用空気供給部１２、及び制御器１４を備えている。又、水素生成装置１００には、燃料電池、及び都市ガスのインフラストラクチャー等と接続するための配管２０２、２０３、２０４、及び、流路切り替え弁（バルブ）１３ａ、１３ｂが設けられている。
【００１８】
加熱部１は、容器Ｚの内部に、火炎が形成される燃焼バーナ部１ａ、着火源となるイグナイター（図示せず）、燃焼を検知するためのフレームロッド（図示せず）を備え、燃焼用空気供給部１１から供給される空気と、原料供給部１０から供給される原料ガス、選択酸化部４にて生成された水素含有ガス、燃料電池２０１の発電時に燃料電池２０１で使用されずに排出されるアノードオフガス等を燃焼することにより、改質反応に必要な熱を供給する。本実施の形態では、加熱部１を円筒状構造とし、加熱部１を中心にして、容器Ｚの内部に改質部２等の反応部を配置し、加熱部１の側壁と容器Ｚの内部に設けられた内壁部Ｂとで燃焼ガス流路５を形成している。
【００１９】
改質部２は、容器Ｚの内部に、Ｒｕ系改質触媒からなる改質触媒２ａと、改質部２の直下に設けられ、改質触媒２ａから流出した水素含有ガスの温度を検出する改質温度検出部２ｂとを備え、原料と水との改質反応により水素含有ガスを生成する。尚、本実施の形態では、改質温度検出部２ｂは、改質触媒２ａから排出された直後の水素含有ガスの温度を検出することにより、改質触媒２ａの温度を間接的に検出することができる。
【００２０】
変成部３は、容器Ｚの内部に、Ｃｕ−Ｚｎ系触媒である変成触媒３ａと、変成触媒３ａに流入する直前の水素含有ガスの温度を検出する変成第１温度検出部３ｂと、変成触媒３ａから流出する直前の水素含有ガスの温度、即ち、変成触媒３ａの出口側温度を検出する変成第２温度検出部３ｃとを備え、変成反応により水素含有ガス中の一酸化炭素を低減させる。尚、変成第１温度検出部３ｂは、変成触媒３ａに流入する直前の水素含有ガスの温度を検出することにより、変成触媒３ａの温度を間接的に検出することができる。
【００２１】
選択酸化部４は、容器Ｚの内部に、直径約３ｍｍの２ｗｔ％のＲｕ／γ−Ａｌ２Ｏ３からなる選択酸化触媒４ａと、この選択酸化触媒４ａの入口側の温度を検出する選択酸化第１温度検出部４ｂとを備え、水素含有ガス中の一酸化炭素を選択的に更に低減させる。尚、選択酸化部４により一酸化炭素が更に低減された水素含有ガスは、燃料ガス取り出し口１０４から排出される。又、この選択酸化部４は、選択酸化触媒４ａの出口側の温度を検出する選択酸化第２温度検出部４ｃを備えている。また、選択酸化部４の出口側には、選択酸化触媒４ａが水素生成装置１００から流出するのを防止するため、パンチングメタルで構成した選択酸化触媒仕切り板１０７が設けられている。なお、選択酸化触媒仕切り板１０７は、選択酸化触媒４ａ上部に、選択酸化触媒４ａ体積の４０％に相当する選択酸化上部空間１０６が構成されるように、設置されている。
【００２２】
予熱蒸発部６は、容器Ｚの内部に設けられた内壁部Ｂと隔壁部Ｃとにより形成される円筒状の領域に、蒸発棒６ａを備え、水供給部９から供給される水を蒸発させると同時に、鉛直下方へと水及び原料供給部１０より供給される原料ガスを導く。蒸発棒６ａは、内壁部Ｂと第２の隔壁部Ｃ２とにより形成される円筒状の領域に、第２の隔壁部Ｃ２の上端から下端に向けて内壁部Ｂと第２の隔壁部Ｃ２とに接するように、加熱部１の周りに螺旋状に配設されている。又、予熱蒸発部６は、第２の隔壁部Ｃ２を介して変成部３と隣接して設けられることにより、予熱蒸発部６を通過する水分と、変成部３を通過する水素含有ガスとが熱交換することのできる変成水冷部として機能する。尚、第２の隔壁部Ｃ２は、安価で耐熱性の高いＳＵＳ３０４を基材とし、選択酸化触媒４ａを第２の隔壁部Ｃ２を介して冷却し、選択酸化触媒４ａを一酸化炭素低減可能な温度に保つ。尚、容器Ｚと第２の隔壁部Ｃ２とは、環状の第１の隔壁部Ｃ１により連結されている。
【００２３】
水トラップ部７は、容器Ｚの内部に設けられた内壁部Ｂの、改質触媒２ａより上方の第４の隔壁部Ｃ４と対向する面に、環状に設けられたＬ字型突起であり、予熱蒸発部６において蒸発し切れずに蒸発棒６ａに沿って流れ落ちてきた液水をトラップする。又、水トラップ部７は、内壁部Ｂに設けられることにより、トラップした液水と加熱部１により発生した燃焼ガスとの熱交換を可能にする。又、第４の隔壁部Ｃ４の一部は、改質部２から流出した水素含有ガスと、予熱蒸発部６内の水及び原料ガスとの熱交換を可能にする。このように、本実施の形態では、水トラップ部７と第４の隔壁部Ｃ４の一部とが、熱交換部８として機能する。尚、第２の隔壁部Ｃ２と第４の隔壁部Ｃ４とは、環状の第３の隔壁部Ｃ３により連結されている。
【００２４】
水供給部９は、インジェクションポンプ等により構成された水ポンプである。水供給部９は、異物等を除去した後の改質反応に必要な水を、供給量を適切に制御しながら、容器Ｚの上壁部Ｄに設けられた水供給口１０１を通じて、予熱蒸発部６に供給する。
【００２５】
原料供給部１０は、ダイアフラムポンプ等のポンプにより構成されたブースターポンプであって、本実施の形態では、原料ガスとしての都市ガス（１３Ａ）のインフラストラクチャーに接続されている。原料供給部１０は、硫黄等の成分を脱硫剤で除去した後の改質反応に必要な原料である都市ガスを、供給量を適切に制御しながら、外壁部Ａに設けられた原料供給口１０２を通じて、予熱蒸発部６に供給する。
【００２６】
燃焼用空気供給部１１は、シロッコファン等により構成され、供給量を適切に制御しながら、加熱部１に空気を供給する。
【００２７】
選択酸化用空気供給部１２は、ダイアフラム式ポンプ等により構成されている。選択酸化用空気供給部１２は、外壁部Ａに設けられた空気供給口１０３に接続されて、変成部３と選択酸化部４との間の空間を通過する水素含有ガスに空気を供給する。
【００２８】
そして、制御部１４は、本実施の形態では、ＣＰＵ等からなる演算部（図示せず）と、内部メモリ等からなる記憶部（図示せず）等を有する演算装置、例えば、マイコン等とにより構成されている。制御部１４は、燃料電池２０１の発電運転等の際、改質温度検出部２ｂ、変成第１温度検出部３ｂ、変成第２温度検出部３ｃ、選択酸化温度第１温度検出部４ｂ等からの出力信号や、記憶部に記憶されているシーケンス等に基づき、水供給部９、原料供給部１０、燃焼用空気供給部１１、選択酸化用空気供給部１２、流路切り替え弁１３ａ及び１３ｂ等の、水素生成装置１００を構成する各構成要素の動作を適宜制御する。
【００２９】
尚、改質温度検出部２ｂ、変成第１温度検出部３ｂ、変成第２温度検出部３ｃ、選択酸化第１温度検出部４ｂ、水素含有ガスの温度或いは各触媒体の温度が測定できれば、本実施の形態に示すような温度を測定する構成に限らなくてもよい。
【００３０】
〈水素生成装置の動作〉
次に、本実施の形態に係る水素生成装置１００の動作について説明する。
【００３１】
図２に示すように、水素生成装置１００の動作時には、制御器１４により、水供給部９と原料供給部１０とを作動させて、水と原料ガスとを予熱蒸発部６に供給する。本実施の形態では、原料ガスとして、脱硫後のメタンを主成分とする都市ガスを使用する。尚、都市ガスの流量は、１ｋＷ相当の水素含有ガスを生成する場合には４ＮＬ／ｍｉｎとし、３００Ｗ相当の水素含有ガスを生成する場合には１．５ＮＬ／ｍｉｎとする。ここで、水の供給量は、原料ガスの平均組成である炭素原子に対して、約３倍量の水分子を含むこと、即ち、スチームカーボン比（Ｓ／Ｃ比）で３を目安として、その供給量を設定する。
【００３２】
水素生成装置１００では、水供給部９から水供給口１０１を通って予熱蒸発部６に供給された水は、第１の隔壁部Ｃ１に沿って流れた後、内壁部Ｂと第２の隔壁部Ｃ２との間を、蒸発棒６ａに沿って螺旋状に旋回しながら、鉛直下方へと流れ落ちる。又、これと同時に、原料供給部１０から原料供給口１０２を通って予熱蒸発部６に供給された原料ガスは、第１の隔壁部Ｃ１上の空間に供給された後、内壁部Ｂと第２の隔壁部Ｃ２との間を、蒸発棒６ａに沿って螺旋状に旋回しながら、鉛直下方へと移動する。この時、予熱蒸発部６は、選択酸化第１温度調整部として機能させ、選択酸化第１温度検出部４ｂにより検出される選択酸化触媒４ａの触媒層上流温度が任意の温度（例えば、１４０℃）となるように、水供給部９の動作を制御する。即ち、制御器１４は、選択酸化第１温度検出部４ｂにより検出される温度に基づき、水分の供給量を微調整して制御する。
【００３３】
又、制御部１４により、加熱部１を作動させ、内壁部Ｂを介して改質部２における改質触媒２ａを加熱する。ここで、加熱部１で発生させた燃焼ガスは、燃焼排ガス流路５を通過する際、内壁部Ｂを介して予熱蒸発部６内の水分及び原料ガスを加熱する。本実施の形態では、改質温度検出部２ｂにより検出される改質触媒２ａから流出した水素含有ガスの温度が約６５０℃となるように、加熱部１が排出する燃焼ガスの温度を制御する。
【００３４】
このように、予熱蒸発部６では、原料供給部１０から供給された原料ガスは、加熱部１が排出する高温状態の燃焼ガスにより所定の温度にまで加熱されると共に、水供給部９から供給された水を蒸発させることにより得た水蒸気と十分に混合される。原料ガスと水蒸気との混合気は、上方の予熱蒸発部６から下方の改質部２に向かって流れ、改質触媒２ａに供給される。
【００３５】
改質部２で生成された水素含有ガスは、改質部２の下方より流出すると、容器Ｚの下壁部Ｅに沿って流れた後、外壁部Ａと熱交換部８とにより形成された空間を上昇する。この際、水素含有ガスは、熱交換部８において予熱蒸発部６内の水分及び原料ガスと熱交換を行うことにより冷却された後、更に上昇して変成触媒３ａに供給される。
【００３６】
変成部３では、変成部３における変成第１温度検出部３ｂにより検出される変成触媒３ａに流入する直前の水素含有ガスの温度が約２５０℃となるように制御され、変成部３から流出する直前の水素含有ガス、即ち、変成部３内の出口側の水素含有ガスに含まれる一酸化炭素の濃度が約０．５％（ドライガスベース）となるように、変成反応により一酸化炭素が低減される。
【００３７】
変成部３から流出した水素含有ガスには、選択酸化用空気供給部１２から空気供給口１０３を通じて、空気が供給される。本実施の形態では、変成部３から流出した水素含有ガスに供給する空気の供給量を、上記水素含有ガスに含まれる酸素量が一酸化炭素に対して約２倍のモル数となること（Ｏ２／一酸化炭素で２相当）を目標とし、選択酸化用空気供給部１２から空気を供給する。
【００３８】
選択酸化部４では、水素含有ガスに含まれる一酸化炭素の濃度が約２０ｐｐｍ以下となるように、水素含有ガスが浄化される。一酸化炭素の濃度が所定値以下となった水素含有ガスは、外壁部Ａに設けられた燃料ガス取り出し口１０５より排出され、流路切り替え弁１３ａを通じて、燃料電池２０１、或いは、加熱部１に吸入される。なお、運転初期において、１ｋＷ相当の水素含有ガスを生成させた場合、選択酸化温度検出部４ｂでの検知温度は、約１８０℃であり、水素生成装置１００出口の一酸化炭素濃度は、６ｐｐｍとなった。
【００３９】
尚、変成部３と選択酸化部４との間の空間、或いは、選択酸化部４に隣接する外壁部Ａの外側に、選択酸化部４を冷却する空冷ファンを設け、その空冷ファンを選択酸化第１温度調整部として機能させることで、選択酸化部４の動作温度を精度良く制御する構成としてもよい。
【００４０】
ここで、本実施の形態１において、水素生成装置１００の通常の起動時は、脱硫都市ガスのみを流通させ、加熱部１を作動させて改質部２、変成部３、選択酸化部４の温度を最適な温度にまで昇温させ、水及び空気の供給を開始することで、水素含有ガスの生成反応を開始させる。又、水素生成装置１００の停止時には、加熱部１の動作を停止させ、脱硫都市ガスを供給して水素生成装置１００内を置換し冷却する動作を行う。
【００４１】
〈メンテナンス方法〉
次に、上述の起動停止試験を２５００回行い、水素生成装置１００出口の一酸化炭素濃度を測定した。その結果、１ｋＷ相当の水素含有ガスを生成させた場合、選択酸化温度検出部４ｂで検出の温度は、１８０℃であったが、一酸化炭素濃度は２８ｐｐｍとなっており、一酸化炭素除去能力が低下していることがわかった。
【００４２】
そこで、図３に示す、本発明の実施の形態１おける水素生成装置１００のメンテナンス方法フロー図の工程（Ａ）、（Ｂ）、（Ｃ）に従い、メンテナンスを行った。また、図４に、水素生成装置１００を水素含有ガスの供給先を燃料電池システムとした場合の、燃料電池システム筐体１０９内に設置させた状態、および設置を変化させ状態を示す。
【００４３】
（Ａ）水素生成装置の運転を停止させる工程
まず、水素生成装置１００の運転を停止させる。この時、以降の作業性を考慮すると、水素生成装置１００は、常温近くまで冷却させることが好ましい。なお、水素生成装置１００の設置状態は、図４の（１）の状態なっている。
【００４４】
（Ｂ）水素生成装置の設置状態を変化させ、倒すことで粒状触媒を移動させる工程
次に、水素生成装置の設置状態を変化さる。まず、図４の（２）の状態のように、燃料電池システム筐体１０９から切り離し、燃料電池システム筐体１０９前面にスライドさせる。次に、左に水素生成装置１００を横倒しした後、右に水素生成装置１００を横倒しした。本実施の形態１では、左右への横倒しを２回ずつ行い、最終的に、本来の方向に戻すことで、設置状態を変化させる工程とした。この時の、選択酸化触媒の状態を、図５に示す。初期は、図５（１）に示すように、選択酸化触媒４ａの上部に、選択酸化上部空間１０６が存在させた状態となっている。図５（２）は、起動停止回数の増加、長期間の運転などにより、水素含有ガス流れの上流流に位置する選択酸化触媒４ａが劣化して劣化触媒４ｃが存在する状態となっている。次に、水素生成装置１００を横倒しにする。その状態が、図５（３）に示されている。選択酸化上部空間１０６が存在し、水素生成装置１００横倒しすることより、劣化触媒４ｃの多くが、下流に移動する。これを、数回（本実施の形態１では、左右へ横倒しを２回）行うことで、最終的に図５（４）に示すように、比較的劣化の進んでいない選択酸化触媒４ａが最上流に移動させることができる。
【００４５】
（Ｃ）水素生成装置の設置状態を工程（Ａ）の状態に戻す工程
次に、その後、再び水素生成装置１００を燃料電池システム筐体１０９内に設置して、配管等を接続し、水素生成装置１００の設置状態を工程（Ａ）の状態に戻す。
【００４６】
上述のメンテナンス方法を行った後、１ｋＷ相当の水素含有ガスを生成させた場合、選択酸化温度検出部４ｂでの検知温度は、約１８０℃であり、水素生成装置１００出口の一酸化炭素濃度は、６ｐｐｍとなることが確認できた。
【００４７】
以上のように、選択酸化触媒の反応器内上部に触媒が移動可能な空間を設け、メンテナンス時に、水素生成装置１００の運転を停止させ、続いて水素生成装置１００を倒し、空間に触媒を移動させ、その後水素生成装置１００を元に戻すメンテナンス方法を実施することにより、水素生成装置１００の一酸化炭素除去特性を回復させることが出来る。なお、起動停止回数の増加、長期間の運転などにより、上流が劣化し、約１８０℃で酸素が水素酸化に消費され一酸化炭素酸化選択性が低下し、水素生成装置１００出口一酸化炭素が増加していたのに対し、水素生成装置１００を横倒しすることにより、劣化触媒４ｃが下流に移動し（図５（３））、比較的劣化の進んでいない選択酸化触媒４ａが最上流になったため（図５（４））、一酸化炭素酸化選択性が回復したことによるものと考えられる。
【００４８】
なお、本実施の形態１では、選択酸化触媒部４ａ上部には、選択酸化触媒体積の４０％に相当する選択酸化上部空間１０６を設け、水素生成装置１００を倒したときに選択酸化触媒４ａが選択酸化上部空間部１０６に移動できる設計としたが、選択酸化触媒体積に対して３０％以上であることが好ましい。その体積は、粒状のＲｕ／γ―Ａｌ２Ｏ３触媒を焼成して、１８０−２００℃での一酸化炭素酸化選択性が低下した触媒（劣化模擬触媒）を模擬的に作成し、その触媒を用いて触媒が移動可能な空間体積と、触媒体積の関係を調べるための実験にもとづく。以下に、その内容を説明する。水素生成装置１００において、選択酸化上部空間部１０６を選択酸化触媒体積４ａに対して、１０、２０、３０、４０％に相当する体積にした水素生成装置を作成した（各水素生成装置を、それぞれ１００Ａ、１００Ｂ、１００Ｃ、１００Ｄとした）。それぞれに、選択酸化触媒４ａの最上流部のみが劣化模擬触媒を充填し、その下流側に焼成していない選択酸化触媒４ａを充填し、耐久後の性能を模擬した水素生成装置１００Ａ、１００Ｂ、１００Ｃ、１００Ｄを作成した。
【００４９】
模擬劣化触媒充填後の水素生成装置１００Ａ、１００Ｂ、１００Ｃ、Ｄ１００を、１ｋＷ相当の水素含有ガスを生成させた場合の出口一酸化炭素濃度を測定した結果、４０ｐｐｍとなった。そこで、水素生成装置１００Ａ、１００Ｂ、１００Ｃ、１００Ｄを停止後、本実施の形態１に示すメンテナンス方法を実施して、再度１ｋＷ相当の水素含有ガスを生成させた場合の出口一酸化炭素濃度を測定した。その結果、各水素生成装置１００Ａ、１００Ｂ、１００Ｃ、１００Ｄの出口一酸化炭素濃度は、３１、２１、８、６ｐｐｍとなった。すなわち、一酸化炭素酸化選択性を考慮すると、選択酸化上部空間部１０６の体積は、選択酸化触媒体積に対して３０％以上であることが好ましいといえる。
【００５０】
なお、本実施の形態１では、選択酸化部４に選択酸化上部空間部１０６を設ける構成におけるメンテナンス方法と、その効果について説明したが、改質触媒２ａ、変成触媒３ａも選択酸化触媒４ａと同様に、水素含有ガスの流れ上流側に位置する触媒が下流側の触媒と比較して劣化する傾向があるので、改質部２、及び変成部３にも同様の上部空間を設けて、同様のメンテナンス方法を実施しても、特性回復効果を得ることができる。
【００５１】
なお、本実施の形態１では、水素生成装置１００を，燃料電池システム筐体１０９内に立てて設置したが、作業時には本水素生成装置１００を燃料電池から切り離し、燃料電池システム筐体１０９前面にスライド移動できるように設計し、また水素生成装置１００底面を支点に燃料電池システム筐体１０９正面に対して左右に倒せる構成としても良い。また、燃料電池システムの燃料電池システム筐体１０９自体を傾けても同様の効果が得られる。また、水素生成装置１００を燃料電池システム筐体１０９からはずし、サービス基地などに持ち帰って同様の方法で水素生成装置１００を再生させることも可能である。
【産業上の利用可能性】
【００５２】
本発明は、化石原料等から一酸化炭素濃度の低い水素含有ガスを生成する、水添脱硫部を備える水素生成装置のメンテナンス方法に適用される。
【図面の簡単な説明】
【００５３】
【図１】本発明におけるＲｕ／γ−Ａｌ２Ｏ３選択酸化触媒の起動停止動作後の特性図
【図２】本発明の実施の形態１における水素生成装置の構成図
【図３】本発明の実施の形態１における水素生成装置のメンテナンス方法フロー図
【図４】本発明の実施の形態１における水素生成装置の設置状態と移動状態を示す模式図
【図５】本発明の実施の形態１におけるメンテナンス時の選択酸化触媒の状態を示す模式図
【符号の説明】
【００５４】
１    加熱部
２    改質部
２ａ    改質触媒
２ｂ    改質温度検出部
３    変成部
３ａ    変成触媒
３ｂ    変成第１温度検出部
３ｃ    変成第２温度検出部
４ａ    選択酸化触媒
４ｂ    選択酸化温度検出部
４ｃ    劣化触媒
５    排ガス流路
６    予熱蒸発部
７    蒸発安定化部
８    改質ガス流路
９    水供給部
１０    原料供給部
１１    燃焼用空気供給部
１２    選択酸化用空気供給部
１３ａ    バルブ
１３ｂ    バルブ
１４    制御器
１００    水素生成装置
１０１    第２水供給部
１０２    原料ガス供給部
１０３    空気供給部
１０５    生成ガス排出部
１０６    選択酸化上部空間
１０７    選択酸化触媒仕切り板
１０９    燃料電池システム筐体
１１２    断熱材
【図１】
2010189198.tif 000003
【図２】
2010189198.tif 000004
【図３】
2010189198.tif 000005
【図４】
2010189198.tif 000006
【図５】
2010189198.tif 000007